(57)【要約】【課題】  極小の曲げを無くすことができ、光の伝送を可能とすることができること。【解決手段】  第１及び第２の筐体１１，３１を回動自在に係合するヒンジ部２１，４１は回転軸４５によって係合されており、前記第１及び第２の筐体１１，３１には光ファイバ５１，６１が配設されており、前記光ファイバ５１，６１の端部には傾斜面５３，６３が形成されており、前記回転軸４５の中心軸４７に前記傾斜面５３，６３が配置されておりかつ前記傾斜面５３，６３の反対側同士が対向するように配置されている。【選択図】  図１
2006211418.tif 000002
【特許請求の範囲】
【請求項１】
電子機器に用いる光ファイバの配線構造において、前記電子機器は第１の筐体と、第２の筐体と、前記第１及び第２の筐体を回動自在に係合するヒンジ部を有し、該ヒンジ部は回転軸によって係合されており、前記第１及び第２の筐体のそれぞれには光ファイバが配設されており、前記光ファイバの一端側の端部には傾斜面が形成されており、前記回転軸の中心軸に前記光ファイバの前記傾斜面のそれぞれが配置されておりかつ前記光ファイバの前記傾斜面の反対側同士が対向するように配置されていることを特徴とする光ファイバの配線構造。
【請求項２】
請求項１記載の光ファイバの配線構造において、前記ヒンジ部は前記光ファイバの前記端部近傍と当接し、前記傾斜面を位置決めする当接部を有することを特徴とする光ファイバの配線構造。
【請求項３】
請求項１又は２記載の光ファイバの配線構造において、前記光ファイバは被覆部によって覆われており、前記被覆部は多角形状に形成されていることを特徴とする光ファイバの配線構造。
【発明の詳細な説明】
【技術分野】
【０００１】
本発明は、ヒンジ部を備えた電子機器に用いる光ファイバの配線構造に関するものである。
【背景技術】
【０００２】
従来、光通信用送受信装置には、パッケージ内に、信号光を発生する発光素子と、この発光素子の信号光を伝送する光ファイバの導入端部と、この光ファイバを通って発光素子側に戻って来る戻り光を受光する受光素子と、光ファイバの戻り光を光路変換して受光素子に導くビームスプリッタとが一括収容されている光モジュールがある。
【０００３】
ビームスプリッタは、光ファイバの光導入端部を斜めにカットすることによって、光導入端部のカット面としている。（特許文献１を参照）
また、従来の光モジュールは、光ファイバから出射光を光ファイバ保持部材に設けた反射機能を有する加工面により光変換した後、受光素子の受光部に効率よく入射するように位置関係を調整した受光素子形成部を配置し、光ファイバ保持部材と張り合わせて構成したものがある（特許文献２を参照）。
【０００４】
【特許文献１】特開平７−１２８０７１号公報
【特許文献１】特開平７−７７６３２号公報
【発明の開示】
【発明が解決しようとする課題】
【０００５】
特許文献１では、光ファイバの回転軸、Ｘ-Ｙ-Ｚ軸の４軸の制御をするものがないので、光ファイバの調芯作業が必要となるという問題がある。
【０００６】
特許文献２では、光ファイバの回転方向の制御を行うものがなく、光ファイバ保持部材に形成されている位置合わせ用の溝でＸ-Ｙ軸（Ｚ軸は制御できていない）は制御できるが、回転の制御ができていないという問題がある。
【０００７】
それ故に、本発明の課題は、光ファイバの端部における極小の曲げを無くすことができ、光の伝送を可能にした光ファイバの配線構造を提供することにある。
【課題を解決するための手段】
【０００８】
本発明は、電子機器に用いる光ファイバの配線構造において、前記電子機器は第１の筐体と、第２の筐体と、前記第１及び第２の筐体を回動自在に係合するヒンジ部を有し、該ヒンジ部は回転軸によって係合されており、前記第１及び第２の筐体のそれぞれには光ファイバが配設されており、前記光ファイバの一端側の端部には傾斜面が形成されており、前記回転軸の中心軸に前記光ファイバの前記傾斜面のそれぞれが配置されておりかつ前記光ファイバの前記傾斜面の反対側同士が対向するように配置されていることを特徴とする光ファイバの配線構造であることを最も主要な特徴とする。
【発明の効果】
【０００９】
本発明の光ファイバの配線構造によれば、光ファイバの端部をヒンジ部の回転軸の中心軸に配設しかつ光ファイバの端部に傾斜面を形成し、傾斜面の反対側同士を対向するように配置することによって、極小の曲げを無くすことができ、光の伝送を可能とすることができる。
【００１０】
また、本発明の光ファイバの配線構造によれば、Ｘ-Ｙ軸（Ｙ軸は平面実装するので上面は開口しているが、実装後は固着すればいいだけである）Ｚ軸の制御をするために、それぞれのヒンジ部に光ファイバの傾斜面の端部を当接してガイドする位置合わせ構造を有するとともに、光ファイバの被覆部の形状を多角形状としたことで回転の制御もでき、位置精度が良い光ファイバの配線が可能となる。
【発明を実施するための最良の形態】
【００１１】
本発明の光ファイバの配線構造において、前記電子機器は第１の筐体と、第２の筐体と、前記第１及び第２の筐体を回動自在に係合するヒンジ部を有し、該ヒンジ部は回転軸によって係合されており、前記第１及び第２の筐体のそれぞれには光ファイバが配設されており、前記光ファイバの一端側の端部には傾斜面が形成されており、前記回転軸の中心軸に前記光ファイバの前記傾斜面のそれぞれが配置されておりかつ前記光ファイバの前記傾斜面の反対側同士が対向するように配置されていることにより実現した。
【実施例１】
【００１２】
図１は本発明に係る電子機器に備えた光ファイバの配線構造の実施例１を示している。図２及び図３は、光ファイバの端部における配置状態を拡大して示している。なお、図１は、電子機器の一例として、携帯電話器に光ファイバの配線構造を備えた例を示している。
【００１３】
図１乃至図３を参照して、携帯電話器は、第１の筐体１１と、第２の筐体３１とを有している。第１の筐体１１の一面１１ａには、携帯電話器の機能に基づく操作を行うための複数の操作部１３，１５，１７，１９や図示しない電池パックなどが設けられている。第２の筐体３１の一面３１ａには、液晶ディスプレイのような表示パネル３３、受話部３５、アンテナ３７などが設けられている。
【００１４】
第１の筐体１１の一側には第１のヒンジ部２１が設けられている。第２の筐体３１の一側には第２のヒンジ部４１が設けられている。第１及び第２のヒンジ部３１，４１は、互いにヒンジ結合されている。第１及び第２のヒンジ部３１，４１には、第１及び第２の筐体１１，３１を第１及び第２のヒンジ部３１，４１を回動自在となすように回転軸４５が軸支されている。
【００１５】
第１の筐体１１の内部には、第１のモジュール５０に接続されている第１の光ファイバ５１が配設されている。第２の筐体３１の内部には、第２のモジュール６０に接続されている第２の光ファイバ６１が配設されている。第１及び第２の光ファイバ５１，６１は、これらの一端側の端部が第１及び第２のヒンジ部３１，４１に位置している配線構造となっている。
【００１６】
第１の光ファイバ５１には、一端側の端部に第１の傾斜面５３が形成されている。第２の光ファイバ６１には、一端側の端部に第２の傾斜面６３が形成されている。第１及び第２の傾斜面６３は、図２及び図３にも示すように、第１及び第２の傾斜面５３，６３の反対側同士が対向するように回転軸４５の中心軸４７に配置されている。即ち、第１及び第２の傾斜面５３，６３は、互いに第１及び第２の傾斜面５３，６３の背面で対向するように配置されることによって極小の曲げを無くすことができるように配置されている。
【００１７】
図１及び図４に示すように、第１のヒンジ部２１には、第１の光ファイバ５１の端部近傍と当接して第１の傾斜面５３を位置決めするための第１の当接部７１が設けられている。第２のヒンジ部４１には、第２の光ファイバ６１の端部近傍と当接して第２の傾斜面６３を位置決めするための第２の当接部８１が設けられている。
【００１８】
第１の当接部７１は、回転軸４７を直交する径方向に延びて第１のヒンジ部２１の内面に設けられている一対の第１の当接板部７３，７５を有している。一対の第１の当接板部７３，７５間には、第１の光ファイバ５１の端部が挟まれるように位置している。一方の第１の当接板部７３には、第１の光ファイバ５１の先端が当接するように第１の当接板部７３から直角方向へ延びている第１の付加板部７７が形成されている。
【００１９】
第２の当接部８１は、回転軸４７を直交する径方向に延びて第２のヒンジ部４１の内面に設けられている一対の第２の当接板部８３，８５を有している。一対の第２の当接板部８３，８５間には、第２の光ファイバ６１の端部が挟まれるように位置している。一方の第２の当接板部８３には、第２の光ファイバ６１の先端が当接するように第２の当接板部８３から直角方向へ延びている第２の付加板部８７が形成されている。
【００２０】
第１の当接部７１は、第１の光ファイバ５１の端部に当接して第１の傾斜面５３を所定位置に位置決めするようにガイドする。第２の当接部８１は、第２の光ファイバ６１の端部に当接して第２の傾斜面６３を所定位置に位置決めするようにガイドする。
【００２１】
さらに、図１及び図４に示すように、第１の光ファイバ５１は、第１の光ファイバ５１の端部を除く外周面が第１の被覆部７９によって覆われている。第２の光ファイバ６１は、第２の光ファイバ６１の端部を除く外周面が第２の被覆部８９によって覆われている。第１及び第２の被覆部７９,８９は、第１及び第２の光ファイバ５１，６１の軸方向を直交する径方向断面が四角形状を呈する形状となっている。
【００２２】
第１及び第２の被覆部７９,８９は、多角矩形を呈していることから、第１及び第２の光ファイバ５１，６１の回転を制御する部分となる。なお、第１及び第２の被覆部７９,８９の断面形状は、四角形状に限らず、多角形状であればよい。
【産業上の利用可能性】
【００２３】
本発明は、光通信、光情報処理、光インターコネクションなどの用途としても適用できる。
【図面の簡単な説明】
【００２４】
【図１】本発明に係る電子機器における光ファイバの配線構造を示す斜視図である（実施例１）。
【図２】図１に示した光ファイバの端部の位置を拡大して示した斜視図である。
【図３】図２に示した光ファイバの端部の位置を拡大して示した側面図である。
【図４】図１に示した光ファイバの配線構造のヒンジ部分を拡大して示した斜視図である。
【符号の説明】
【００２５】
１１    第１の筐体
２１    第１のヒンジ部
３１    第２の筐体
４１    第２のヒンジ部
４５    回転軸
４７    中心軸
５１    第１の光ファイバ
５３    第１の傾斜面
６１    第２の光ファイバ
６３    第２の傾斜面
７１    第１の当接部
７９    第１の被覆部
８１    第２の当接部
８９    第２の被覆部
【図１】
2006211418.tif 000003
【図２】
2006211418.tif 000004
【図３】
2006211418.tif 000005
【図４】
2006211418.tif 000006